(57)【要約】  【課題】  シリーズレギュレータに正常な動作を行わせることが可能な電源回路を提供する。  【解決手段】  電源回路１００は、バッテリ２００の出力電圧を変換するＤＣ−ＤＣコンバータ１０２と、当該ＤＣ−ＤＣコンバータ１０２の出力電圧を変換してデバイス３００に供給するシリーズレギュレータ１０４と、バッテリ２００とＤＣ−ＤＣコンバータ１０２の入力側との間に入力端が接続されるとともに、ＤＣ−ＤＣコンバータの出力側とシリーズレギュレータ１０４の入力側との間に出力端が接続される迂回路１０８と、バッテリ２００の出力電圧を検出し、この出力電圧が所定値以下に低下した場合に、迂回路１０８を導通させてＤＣ−ＤＣコンバータ１０２を迂回してバッテリ２００の出力電圧をシリーズレギュレータ１０４へ直接供給する制御を行うるとともに、導通から所定時間経過後に迂回路１０８を非導通とする電圧検出・迂回制御部１０６とを有する。【選択図】  図１
2006081238.tif 000002
【特許請求の範囲】
【請求項１】
電源の出力電圧を制御してデバイスに供給する電源回路であって、
前記電源の出力電圧を第１の所定値の電圧に変換するＤＣ−ＤＣコンバータと、
前記ＤＣ−ＤＣコンバータの出力電圧を第２の所定値に変換して前記デバイスに供給するシリーズレギュレータと、
前記電源の出力電圧を検出する電圧検出手段と、
前記電源と前記ＤＣ−ＤＣコンバータの入力側との間に入力端が接続されるとともに、前記ＤＣ−ＤＣコンバータの出力側と前記シリーズレギュレータの入力側との間に出力端が接続される迂回路と、
前記電圧検出手段により検出される電源の出力電圧が第３の所定値以下に低下した場合に、前記迂回路を導通させ、前記ＤＣ−ＤＣコンバータを迂回して前記電源の出力電圧を前記シリーズレギュレータへ直接供給する制御を行うとともに、前記導通から所定時間経過後に前記迂回路を非導通とする迂回制御手段とを有することを特徴とする電源回路。
【請求項２】
前記迂回路が導通する時間は、前記シリーズレギュレータがジャンクション温度の限界値を超えないように設定されることを特徴とする請求項１に記載の電源回路。
【請求項３】
前記電圧検出手段により検出される電源の出力電圧が前記第３の所定値以下に低下した場合に、前記デバイスに対して、供給される電圧の低下に備えた処理を指示する処理指示手段を有することを特徴とする請求項１又は２に記載の電源回路。
【請求項４】
前記迂回路は、オン状態とオフ状態の切換え動作を行うスイッチを有し、前記迂回制御手段は、前記電圧検出手段により検出される電源の出力電圧が前記第３の所定値以下に低下した場合に、前記スイッチをオン状態とすることを特徴とする請求項１乃至３のいずれかに記載の電源回路。
【発明の詳細な説明】
【技術分野】
【０００１】
本発明は、車載用電装機器等に用いられ、電源の出力電圧を制御してデバイスに供給する電源回路に関する。
【背景技術】
【０００２】
近年、ナビゲーション装置やオーディオ装置等の車載用電装機器に用いられるデバイスの機能の高度化に伴い、電源の出力電圧をデバイスに供給する際には、高効率であることに加えて高精度であることも要求されるようになっている。このような要求に対し、ＤＣ−ＤＣコンバータとシリーズレギュレータとを直列に接続した電源回路が提案されている。
【０００３】
図４は、従来の電源回路のブロック図である。同図に示す電源回路５００は、ＤＣ−ＤＣコンバータ５０２及びシリーズレギュレータ５０４を有し、バッテリ６００の出力電圧（ここでは正常時に６〜１６Ｖ）を車載用電装機器内のデバイス７００の動作電圧（ここでは３．３Ｖ±２％）に降下させる。
【０００４】
ＤＣ−ＤＣコンバータ５０２は、バッテリ６００の出力電圧を所定電圧（ここでは４．５Ｖ±５％）まで降下させてシリーズレギュレータ５０４へ供給する。シリーズレギュレータ５０４は、ＤＣ−ＤＣコンバータ５０２の出力電圧を更にデバイス７００が動作可能な電圧まで降下させて当該デバイス７００へ供給する。
【０００５】
この電源回路５００では、ＤＣ−ＤＣコンバータ５０２によりバッテリ６００の電力を維持しつつ電圧を制御し、更に、シリーズレギュレータ５０４により電圧の精度を向上させることができる。
【０００６】
ところで、車載用電装機器内のデバイス７００には、エンジンの停止時にバッテリ６００の出力電圧の低下に備えて立ち下げ処理と称される処理が行われるものがある。立ち下げ処理としては、例えば、ラジオ放送の受信機において、エンジン停止前の選局等の状態を示す情報をメモリ等に保持する処理があり、当該処理により、その後エンジンが始動された際に、エンジン停止前の選局等の状態を引き継ぐことが可能となる。
【０００７】
しかし、エンジンが始動される際には、バッテリ６００の出力電圧が一時的に低下する場合がある。図４に示す従来の電源回路５００では、デバイス７００が動作可能な電圧は、３．３Ｖ±２％であり、この電圧が維持されるためには、バッテリ６００の出力電圧が６Ｖ以上であることが要求される。しかし、エンジン始動時にはバッテリ６００の出力電圧は６Ｖ以下となることが容易に起こり得る。このように、バッテリ６００の出力電圧が一時的に低下した場合、立ち下げ処理が行われず、エンジン始動後にエンジン停止前の状態を引き継ぐことができなくなってしまう。
【０００８】
このような問題に対して、ＤＣ−ＤＣコンバータ５０２を迂回してバッテリ６００にシリーズレギュレータ５０４を直接に接続する対策が考えられる。このような対策により、バッテリ６００の出力電圧が低下した場合に、ＤＣ−ＤＣコンバータ５０２における電圧降下が生じないため、デバイス７００に対して当該デバイス７００が動作可能な電圧を供給することが可能となる。特許文献１においても、同様の観点により、スイッチングレギュレータを迂回して電源にシリーズレギュレータを直接に接続する対策が提案されている。
【特許文献１】特開平５−２３６６５０号公報
【発明の開示】
【発明が解決しようとする課題】
【０００９】
しかしながら、バッテリ６００にシリーズレギュレータ５０４を直接に接続すると、当該シリーズレギュレータ５０４に供給される電圧が通常時よりも高くなって発熱量が増加し、正常に動作しなくなる場合がある。このような発熱量の増加に対しては、シリーズレギュレータ５０４に巨大なヒートシンクを取り付ける対策が考えられるが、スペースやコストの面からは現実的ではない。
【００１０】
本発明の目的は、上述した問題を解決するものであり、シリーズレギュレータに正常な動作を行わせることが可能な電源回路を提供するものである。
【課題を解決するための手段】
【００１１】
本発明に係る電源回路は、電源の出力電圧を制御してデバイスに供給するものであって、前記電源の出力電圧を第１の所定値の電圧に変換するＤＣ−ＤＣコンバータと、前記ＤＣ−ＤＣコンバータの出力電圧を第２の所定値に変換して前記デバイスに供給するシリーズレギュレータと、前記電源の出力電圧を検出する電圧検出手段と、前記電源と前記ＤＣ−ＤＣコンバータの入力側との間に入力端が接続されるとともに、前記ＤＣ−ＤＣコンバータの出力側と前記シリーズレギュレータの入力側との間に出力端が接続される迂回路と、前記電圧検出手段により検出される電源の出力電圧が第３の所定値以下に低下した場合に、前記迂回路を導通させ、前記ＤＣ−ＤＣコンバータを迂回して前記電源の出力電圧を前記シリーズレギュレータへ直接供給する制御を行うとともに、前記導通から所定時間経過後に前記迂回路を非導通とする迂回制御手段とを有する。
【００１２】
この構成により、シリーズレギュレータには、電源の出力電圧が正常である場合には、ＤＣ−ＤＣコンバータから電圧が供給される一方、電源の出力電圧が低下した場合には、電圧低下をもたらすＤＣ−ＤＣコンバータを迂回して電源から直接に電圧が供給される。このため、シリーズレギュレータは、電源の出力電圧が低下しても、デバイスに対して当該デバイスが動作可能な電圧を供給することが可能となる。しかも、迂回路が導通してから所定時間が経過した場合には、当該迂回路が再度非導通となってシリーズレギュレータに供給される電圧を低下させることによりジャンクション温度の上昇を極力抑えることができ、当該シリーズレギュレータに正常な動作を行わせることが可能となる。
【００１３】
また、本発明に係る電源回路は、前記迂回路が導通する時間は、前記シリーズレギュレータがジャンクション温度の限界値を超えないように設定される。
【００１４】
この構成により、シリーズレギュレータのジャンクション温度が限界値に達することを防止して、当該シリーズレギュレータに正常な動作を行わせることができる。
【００１５】
また、本発明に係る電源回路は、前記電圧検出手段により検出される電源の出力電圧が前記第３の所定値以下に低下した場合に、前記デバイスに対して、供給される電圧の低下に備えた処理を指示する処理指示手段を有する。
【００１６】
この構成により、デバイスに供給される電圧の低下に備えて、当該デバイスに対して立ち下げ処理等の所定の処理を行わせることが可能となる。
【００１７】
また、本発明にかかる電源回路は、前記迂回路が、オン状態とオフ状態の切換え動作を行うスイッチを有し、前記迂回制御手段が、前記電圧検出手段により検出される電源の出力電圧が前記第３の所定値以下に低下した場合に、前記スイッチをオン状態とする。
【００１８】
このような構成により、電源の出力電圧が第３の所定値以下となる場合に、スイッチがオン状態となって迂回路が導通し、前記電源の出力電圧がシリーズレギュレータに直接供給されるようになる。
【発明の効果】
【００１９】
本発明によれば、電源の出力電圧が第３の所定値以下となる場合にＤＣ−ＤＣコンバータを迂回するための迂回路が導通してシリーズレギュレータに対して電源の出力電圧が直接供給され、その後所定時間が経過した後に当該迂回路が再度非導通となるので、シリーズレギュレータにおける発熱量の増加が防止され、当該シリーズレギュレータに正常な動作を行わせることが可能となる。
【発明を実施するための最良の形態】
【００２０】
以下、本発明の実施の形態について、図面を参照して具体的に説明する。
【００２１】
図１は、本発明の実施の形態にかかる電源回路のブロック図である。同図に示す電源回路１００は、バッテリ２００の出力電圧を制御して、ナビゲーション装置やオーディオ装置等の車載用電装機器に用いられるデバイス３００へ供給するものである。この電源回路１００は、ＤＣ−ＤＣコンバータ１０２、シリーズレギュレータ１０４、電圧検出・迂回制御部１０６、迂回路１０８、バイパススイッチ１１０及びダイオード１１２を有する。これらのうち、電圧検出・迂回制御部１０６内にはタイマ１０７が構成されている。この電源回路１００は、バッテリ２００の出力電圧をデバイス３００が動作可能な電圧に降下させる。
【００２２】
電源回路１００において、ＤＣ−ＤＣコンバータ１０２、ダイオード１１２及びシリーズレギュレータ１０４は、バッテリ２００とデバイス３００との間に直列に接続されている。ダイオード１１２は、ＤＣ−ＤＣコンバータ１０２の側をアノード、シリーズレギュレータ１０４の側をカソードとして接続される。また、迂回路１０８は、ＤＣ−ＤＣコンバータ１０２及びダイオード１１２を介さずに、バッテリ２００とシリーズレギュレータとを直接に接続する。そして、バイパススイッチ１１０は、迂回路１０８をオン状態で導通させ、オフ状態で非導通にさせる。
【００２３】
ＤＣ−ＤＣコンバータ１０２は、バッテリ２００の出力電圧を、電力を損失させることなく、所定電圧まで降下させて、ダイオード１１２を介してシリーズレギュレータ１０４へ供給する。シリーズレギュレータ１０４は、ＤＣ−ＤＣコンバータ１０２の出力電圧を、更にデバイス３００が動作可能な電圧まで降下させ、デバイス３００に供給する。シリーズレギュレータ１０４における電圧降下に伴う電力損失は熱となり、当該シリーズレギュレータ１０４から放出される。
【００２４】
電圧検出・迂回制御部１０６は、バッテリ２００の出力電圧を検出する。そして、電圧検出・迂回制御部１０６は、その出力電圧の値に応じて、バッテリ２００の出力電圧を、ＤＣ−ＤＣコンバータ１０２を介してシリーズレギュレータ１０４へ供給する制御、及び、ＤＣ−ＤＣコンバータ１０２を介さずに直接にシリーズレギュレータ１０４へ供給する制御のいずれかを行う。また、電圧検出・迂回制御部１０６は、バッテリ２００の出力電圧の値に応じて、デバイス３００の動作を制御する。
【００２５】
以下、電圧検出・迂回制御部１０６の詳細な動作と、この動作に伴う電源回路１００の各部及びデバイス３００の動作を説明する。
【００２６】
図２は、電圧検出・迂回制御部１０６の詳細な動作を示すフローチャートである。最初、バッテリ２００の出力電圧は正常であり、当該出力電圧は、ＤＣ−ＤＣコンバータ１０２、ダイオード１１２及びシリーズレギュレータ１０４を介して、デバイス３００を動作可能な電圧に降下された上で、当該デバイス３００に供給される。デバイス３００は、この供給される電圧により動作する。
【００２７】
ここでは、デバイス３００が動作可能な電圧は３．３Ｖ±２％であり、この電圧が維持されるために、バッテリ６００の出力電圧は正常時に６〜１６Ｖであるものとする。更には、ＤＣ−ＤＣコンバータ１０２は、バッテリの正常時における出力電圧６〜１６Ｖを４．５Ｖ±５％まで降下させ、シリーズレギュレータ１０４は、ＤＣ−ＤＣコンバータ１０２の出力電圧４．５Ｖ±５％をデバイス３００が動作可能な電圧３．３Ｖ±２％まで降下させることができるものとする。なお、シリーズレギュレータ１０４における最低入出力電位差は０．４Ｖであるものとする。
【００２８】
この状態において、電圧検出・迂回制御部１０６は、バッテリ２００の出力電圧が予め定められた閾値以下であるか否かを判定する（Ｓ１０１）。閾値は、ＤＣ−ＤＣコンバータ１０２及びシリーズレギュレータ１０４における電圧降下が生じてもデバイス３００が動作可能となるようなバッテリ２００の出力電圧（ここでは８Ｖ）である。
【００２９】
バッテリ２００の出力電圧が閾値以下である場合、電圧検出・迂回制御部１０６は、内蔵するタイマ１０７を起動する（Ｓ１０２）。更に、電圧検出・迂回制御部１０６は、バイパススイッチ１１０をオン状態にする（Ｓ１０３）。
【００３０】
バイパススイッチ１１０がオン状態になると、迂回路１０８が導通する。このため、バッテリ２００の出力電圧は、ＤＣ−ＤＣコンバータ１０２及びダイオード１１２を介さずに、シリーズレギュレータ１０４に直接に供給されることになる。この際、ダイオード１１２は、ＤＣ−ＤＣコンバータ１０２の側をアノード、シリーズレギュレータ１０４の側をカソードとして接続されているため、迂回路１０８からＤＣ−ＤＣコンバータ１０２の出力端に電流が流れ込むことが防止される。
【００３１】
このように、バッテリ２００の出力電圧が低下した場合には、当該出力電圧が、ＤＣ−ＤＣコンバータ１０２及びダイオード１１２を介さずに、シリーズレギュレータ１０４に直接に供給される。このため、シリーズレギュレータ１０４において、最低入出力電位差分の電圧降下が生じても、当該シリーズレギュレータ１０４は、バッテリ２００の出力電圧が正常である場合と同様、デバイス３００に対し、当該デバイス３００が動作可能な電圧を供給することが可能となる。
【００３２】
具体的には、シリーズレギュレータ１０４における最低入出力電位差は０．４Ｖであり、デバイス３００が動作可能となる電圧は３．３Ｖであるため、バッテリ２００の出力電圧がこれらを加えた３．７Ｖ以上であれば、デバイス３００は動作可能であるということになる。すなわち、バッテリ２００の出力電圧が正常時の６〜１６Ｖを維持することができずに６Ｖ以下になった場合であっても、３．７Ｖ以上であれば、デバイス３００は動作可能であり、当該デバイス３００が動作可能となるために最低限必要なバッテリ２００の出力電圧を６Ｖから３．７Ｖに低下させることが可能となる。
【００３３】
次に、電圧検出・迂回制御部１０６は、デバイス３００へ立ち下げ処理を指示する旨の信号を送信する（Ｓ１０４）。デバイス３００は、この信号を受信すると、立ち下げ処理を行う。その立ち下げ処理では、例えば、仮に電圧が遮断されてもその復旧後の動作に支障をきたさないために必要な情報等の確保（メモリへの保存）等が行なわれる。
【００３４】
更に、電圧検出・迂回制御部１０６は、タイマ１０７がタイムアップしたか否かを判定する（Ｓ１０５）。タイマ１０７が起動してからタイムアップするまでの時間（タイムアップ時間）は、以下の点を考慮して設定される。
【００３５】
すなわち、シリーズレギュレータ１０４は、バッテリ２００の出力電圧が正常であってＤＣ−ＤＣコンバータ１０２から電圧が継続的に供給されても、ジャンクション温度がある所定値以上にならないように設計される。しかし、バッテリ２００の出力電圧が低下した場合に当該バッテリ２００からシリーズレギュレータ１０４に直接に供給される電圧は、バッテリ２００の出力電圧が正常である場合にＤＣ−ＤＣコンバータ１０２からシリーズレギュレータ１０４に供給される電圧よりも大きい場合がある。このため、バッテリ２００が直接にシリーズレギュレータ１０４へ電圧を継続して供給すると、当該シリーズレギュレータ１０４は、電圧降下が大きいために電力損失が増大し、これに伴って発熱量も増大するため、ジャンクション温度の限界値に達して破壊されてしまう可能性がある。このため、シリーズレギュレータ１０４におけるジャンクション温度の限界値を超えないようなタイムアップ時間の設定が必要となる。また、タイムアップ時間は、デバイス３００における立ち下げ処理が終了可能な時間以上に設定される必要がある。
【００３６】
例えば、バッテリ２００の出力電圧が８Ｖ、デバイス３００の立ち下げ処理に要する時間が１０ｍｓ、デバイス３００の立ち下げ処理における消費電流が１Ａの場合を考える。バッテリ２００の出力電圧が直接にシリーズレギュレータ１０４に供給される場合、当該シリーズレギュレータ１０４における電圧降下（入出力電位差）は、８Ｖ−３．２３４Ｖ（＝３．３Ｖ−２％）＝４．７６６Ｖとなり、シリーズレギュレータ１０４における電圧降下に伴う電力損失は、４．７６６Ｖ×１Ａ≒４．８Ｗとなる。更に、図３の熱抵抗の時間経過のグラフを用いれば、シリーズレギュレータ１０４における電圧降下に伴う電力損失がデバイス３００の立ち下げ処理に要する時間である１０ｍｓの間継続した場合における、当該シリーズレギュレータ１０４の熱抵抗は、約２℃／Ｗとなる。従って、１０ｍｓの間、バッテリ２００の出力電圧が直接にシリーズレギュレータ１０４に供給される場合の当該シリーズレギュレータ１０４の温度上昇は、４．８Ｗ×２℃／Ｗ＝９．６℃となる。すなわち、タイムアップ時間を１０ｍｓとし、且つ、Ｓ１０３においてバイパススイッチ１１０がオン状態となる時に、シリーズレギュレータ１０４のジャンクション温度を限界値より９．６℃以上低い温度にしておくことにより、温度上昇に伴うシリーズレギュレータ１０４の破壊が防止される。
【００３７】
タイマ１０７がタイムアップした場合、電圧検出・迂回制御部１０６は、温度上昇に伴うシリーズレギュレータ１０４の破壊を防止すべく、バイパススイッチ１１０をオフ状態に戻す（Ｓ１０６）。バイパススイッチ１１０がオフ状態になると、迂回路１０８が再び非導通になる。このため、バッテリ２００の出力電圧は、再び、ＤＣ−ＤＣコンバータ１０２、ダイオード１１２及びシリーズレギュレータ１０４を介して、デバイス３００に供給される。この時、シリーズレギュレータ１０４には、バッテリ２００の出力電圧が復帰していれば、正常時における電圧が供給され、復帰していなければ正常時よりも低下した電圧が供給されることになるが、いずれの場合においても、シリーズレギュレータ１０４に供給される電圧は、当該シリーズレギュレータ１０４のジャンクション温度が更に上昇することがない範囲、換言すれば、シリーズレギュレータ１０４が連続動作可能な範囲の電圧である。
【００３８】
その後、電圧検出・迂回制御部１０６は、デバイス３００へスタンバイ処理を指示する旨の信号を送信する（Ｓ１０７）。デバイス３００は、この信号を受信すると、スタンバイ処理を行う。ここで、スタンバイ処理とは、デバイス３００による低電流モードでの動作を意味する。低電流モードでの動作では、デバイス３００の消費電流は０〜数ｍＡ程度であるため、シリーズレギュレータ１０４は、徐々に冷却される。例えば、バイパススイッチ１１０をオン状態にしてからオフ状態に戻すまでの時間が１０ｍｓであれば、デバイス３００において低電流モードでの動作が１０ｍｓ以上（例えば数百ｍｓ）行われることにより、シリーズレギュレータ１０４のジャンクション温度は、Ｓ１０３においてバイパススイッチ１１０がオン状態になる直前の温度まで低下する。
【００３９】
デバイス３００における低電流モードでの動作によって、シリーズレギュレータ１０４のジャンクション温度がＳ１０３においてバイパススイッチ１１０がオン状態になる直前の温度まで低下すれば、再び、Ｓ１０１以降の動作によって、バッテリ２００の出力電圧を、ＤＣ−ＤＣコンバータ１０２及びダイオード１１２を介さずに、シリーズレギュレータ１０４に直接に供給させることが可能となる。
【００４０】
なお、デバイス３００にスタンバイ処理を行なわせる代わりに、バッテリ２００からＤＣ−ＤＣコンバータ１０２やシリーズレギュレータ１０４への電圧の供給を遮断するようにしてもよい。この場合にも、シリーズレギュレータ１０４は、何ら電圧変換の動作を行わないため、徐々に冷却される。そして、上述と同様に、シリーズレギュレータ１０４のジャンクション温度がＳ１０３においてバイパススイッチ１１０がオン状態になる直前の温度まで低下すれば、再び、Ｓ１０１以降の動作によって、バッテリ２００の出力電圧を、ＤＣ−ＤＣコンバータ１０２及びダイオード１１２を介さずに、シリーズレギュレータ１０４に直接に供給させることが可能となる。
【００４１】
このように、本実施形態の電源回路１００では、シリーズレギュレータ１０４には、バッテリ２００の出力電圧が正常である場合には、ＤＣ−ＤＣコンバータ１０２によってバッテリ２００の出力電圧よりも低下した電圧が供給される一方、バッテリ２００の出力電圧が低下した場合には、迂回路１０８によりＤＣ−ＤＣコンバータ１０２を迂回してバッテリ２００から直接に電圧が供給される。このため、シリーズレギュレータ１０４は、バッテリ２００の出力電圧が低下した場合においても、その低下がＤＣ−ＤＣコンバータ１０２を迂回することによって補われることにより、デバイス３００に対して当該デバイス３００が動作可能な電圧を供給することが可能となる。
【００４２】
また、迂回路１０８が導通した場合には、シリーズレギュレータ１０４にバッテリ２００の出力電圧が正常である場合よりも大きな電圧が供給され、ジャンクション温度が上昇する可能性があるが、ジャンクション温度が限界値に達する前に迂回路１０８が再度非導通となってシリーズレギュレータ１０４に供給される電圧を低下させることによりジャンクション温度の上昇が防止されるため、当該シリーズレギュレータ１０４に正常な動作を行わせることが可能となる。
【００４３】
なお、上述した実施形態では、バッテリ２００の出力電圧が閾値以下となった場合に、電圧検出・迂回制御部１０６がスイッチ１１０をオン状態にするとともに、デバイス３００に対して立ち下げ処理を指示するようにしたが、スイッチ１１０をオン状態にする契機となるバッテリ２００の出力電圧の閾値と、デバイス３００に対して立ち下げ処理を指示する契機となるバッテリ２００の出力電圧の閾値とは異なっていても良い。すなわち、例えば、電圧検出・迂回制御部１０６は、バッテリ２００の出力電圧が第１の閾値以下となった場合に、スイッチ１１０をオン状態にし、更にバッテリ２００の出力電圧が第１の閾値よりも小さい第２の閾値以下となった場合に、デバイス３００に対して立ち下げ処理を指示するようにしても良く、反対に、バッテリ２００の出力電圧が第１の閾値以下となった場合に、デバイス３００に対して立ち下げ処理を指示し、更にバッテリ２００の出力電圧が第１の閾値よりも小さい第２の閾値以下となった場合に、スイッチ１１０をオン状態にするようにしても良い。
【産業上の利用可能性】
【００４４】
以上、説明したように、本発明に係る電源回路は、シリーズレギュレータに正常な動作を行わせることが可能となるという効果を奏し、電源回路として有用である。
【図面の簡単な説明】
【００４５】
【図１】本発明の実施の形態にかかる電源回路のブロック図である。
【図２】電圧検出・迂回制御部の詳細な動作を示すフローチャートである。
【図３】シリーズレギュレータにおける熱抵抗の時間経過の一例を示す図である。
【図４】従来の電源回路の一例を示す図である。
【符号の説明】
【００４６】
１００  電源回路
１０２  ＤＣ−ＤＣコンバータ
１０４  シリーズレギュレータ
１０６  電圧検出・迂回制御部
１０７  タイマ
１０８  迂回路
１１０  バイパススイッチ
１１２  ダイオード
２００  バッテリ
３００  デバイス
【図１】
2006081238.tif 000003
【図２】
2006081238.tif 000004
【図３】
2006081238.tif 000005
【図４】
2006081238.tif 000006